(57)【要約】【課題】  搬送中に振動を受けても折り畳まれた８の字状の糸がケース内で移動することを防止する。【解決手段】  直方体状のケース２内に釣り糸１８が収容されている。釣り糸１８は８の字に巻かれており、８の字の交差部分で折り曲げられて、８の字のループ部分が重ねられている。この交差部分がケース２の一端部１０側に位置するようにケース２に収容されている。ケース２の側壁１４、１６間に拘束部材４が設けられている。拘束部材４は、ケース２内において糸の折り曲げ部分に接触している。【選択図】        図１
0003163886.tif 000002
【実用新案登録請求の範囲】
【請求項１】
概略直方体状のケースと、
このケース内に収容されており、８の字に巻かれて、８の字の交差部分で折り曲げられ、８の字のループ部分が重ねられ、前記交差部分が前記ケースの一端部側に位置する糸と、
前記ケース内において前記糸の折り曲げ部分に接触して、その折り曲げ部分の前記ケースの他端部側への移動を拘束する拘束部材とを、
具備する糸収容体。
【請求項２】
請求項１記載の糸収容体において、前記拘束部材は、前記ケースの対向する２つの面の一方から他方の面に前記ケース内を通って設けられている糸収容体。
【請求項３】
請求項２記載の糸収容体において、前記拘束部材は、前記ケースから着脱自在である糸収容体。
【請求項４】
請求項２または３記載の糸収容体において、前記拘束部材の前記一端部からの距離を変更可能である糸収容体。
【請求項５】
請求項１乃至３いずれか記載の糸収容体において、対向する２つの主壁を有し、これら板状体の一端部が連結体によって連結され、前記２つの主壁の対向する面にそれぞれ係合部を有する糸巻きが、前記ケース内に収容され、前記糸は、前記２つの主壁の係合部間に８の字に巻かれて折り曲げられている糸収容体。
【請求項６】
請求項１記載の糸収容体において、対向する２つの主壁を有し、これら主壁の一端部が連結体によって連結され、前記２つの主壁の対向する面にそれぞれ係合部を有する糸巻きが、前記ケース内に収容され、前記糸は、前記２つの主壁の係合部間に８の字に巻かれて折り曲げられ、前記拘束部材は、少なくとも前記主壁の一方に設けられている糸収容体。
【考案の詳細な説明】
【技術分野】
【０００１】
本考案は、糸が収容された糸収容体に関し、特に８の字に巻いて折り畳んだ糸が収容された糸収容体に関する。
【背景技術】
【０００２】
従来、８の字に巻いて折り畳んだ糸が収容された糸収容体としては、特許文献１に開示されたものがある。この糸収容体は、長方形状の本体部を有し、この本体部の一方の面において、両端からそれぞれ内側に所定距離の位置に概略円柱状の第１及び第２の突出部が形成されている。第１及び第２の突出部間に糸が８の字に巻かれる。両端部がそれぞれ外側に湾曲し、内側に向かうに従って細くなる第１及び第２の片状部を内側で結合し、この結合部分が本体部の中央付近に位置させ、第１及び第２の片状部の中途を第１及び第２の突出部の突出端部に結合し、第１及び第２の主壁が互いに平行となるように折り畳むことによって、８の字に巻かれた糸を折り畳んでいる。この折り畳んだ本体部を概略直方体状のケースに収容している。
【先行技術文献】
【特許文献】
【０００３】
【特許文献１】特許第３８９９１１７号明細書
【考案の概要】
【考案が解決しようとする課題】
【０００４】
しかし、上記の糸収容体は、本体部をケースに収容した状態で搬送されるが、搬送中に振動を受けると、ケース内の折り畳まれた糸がケース内で移動することがある。その場合、見栄えが悪いし、また、糸を引き出そうとしたときに、絡まりやすくなる。
【０００５】
本考案は、搬送された後も、ケース内において折り畳まれた８の字の糸が移動しない糸収容体を提供することを目的とする。
【課題を解決するための手段】
【０００６】
本考案の一態様の糸収容体は、概略直方体状のケースを有している。このケース内に糸が収容されているが、糸は８の字に巻かれており、８の字の交差部分で折り曲げられて、８の字のループ部分が重ねられている。この交差部分が前記ケースの一端部側に位置するようにケース内に収容されている。拘束部材は、前記ケース内において前記糸の折り曲げ部分に接触して、その折り曲げ部分の前記ケースの他端部側への移動を拘束する。拘束部材としては、糸の交差部分に接触可能なものであれば種々のものを使用することができる。例えば棒状部材、板状部材或いは紐や帯を使用することができる。
【０００７】
このように構成された糸収容体では、拘束部材が、糸の交差部分に接触して、その移動を拘束しているので、ケースに振動が加わっても、糸が移動することがない。従って、見栄えが悪くなることもないし、糸を引き出そうとしたときに、糸が絡みやすくなることもない。
【０００８】
前記拘束部材を、ケースの対向する２つの面の一方から他方の面に前記ケース内を通って設けることができる。この場合、２つの面としては、ケースの側壁の内面間とすることもできる。この場合、糸の交差部分の間を拘束部材が通過する。また、ケースの正面及び背面壁の内面間とすることもできる。この場合、拘束部材は、８の字に巻かれた糸の２つのループ内をそれぞれ通過する。このように構成した場合、拘束部材をケースによって支持することができ、拘束部材を支持するための部材をケース内に設ける必要がない。
【０００９】
更に、前記拘束部材を前記ケースから着脱自在とすることもできる。この場合、例えば、糸収容体を販売する際に、拘束部材を容易に除去することができる。従って、糸を引き出すときに、拘束部材によって糸が拘束されることがないので、円滑に糸を引き出すことができる。また、糸収容体の外観を良好にすることができ、商品価値を向上させることができる。
【００１０】
前記拘束部材の前記ケースの一端部からの距離を変更可能とすることもできる。このように構成すると、例えば糸の巻き数が多いものでも少ないものでも、確実に糸の交差部分を拘束部材によって拘束することができる。
【００１１】
糸巻きに、８の字に糸を巻いて、ケース内に収容することもできる。この場合、糸巻きは、対向する２つの主壁を有し、これら主壁の一端部が連結体によって連結され、前記２つの主壁の対向する面にそれぞれ係合部を有するものである。糸は、係合部間に８の字に巻かれて折り曲げられている。このように糸支持体を使用すると、ケース内における糸の形態が維持される。
【００１２】
上記のような糸巻きの主壁に、拘束部材を設けることもできる。この場合、糸巻きの主壁に拘束部材を設けてあるので、拘束部材を糸の交差部分間に挿通するような作業が不要になる。
【考案の効果】
【００１３】
以上のように、本考案による糸収容体では、搬送中に振動を受けても折り畳まれた８の字状の糸がケース内で移動することを防止でき、糸を引き出すときに絡まりにくくすることができる上に、見栄えを良好にすることができる。
【図面の簡単な説明】
【００１４】
【図１】本考案の第１の実施形態の糸収容体の横断面図と縦断面図である。
【図２】図１の糸収容体において使用する糸巻きの展開状態の平面図と縦断面図である。
【図３】図１の糸収容体において使用するケースの平面図と縦断面図である。
【図４】本考案の第２の実施形態の糸収容体の横断面図と縦断面図である。
【図５】図４の糸収容体において使用する糸巻きの展開状態の平面図と縦断面図である。
【図６】本考案の第３の実施形態の糸収容体の横断面図と縦断面図である。
【図７】図６の糸収容体において使用する糸巻きの展開状態の平面図と縦断面図である。
【考案を実施するための形態】
【００１５】
本考案の第１の実施形態の糸収容体は、図１及び図２に示すように、ケース、例えば箱２と、拘束部材４とを、有している。
【００１６】
箱２は、例えば直方体状に形成され、図３（ａ）、（ｂ）に示すように、間隔をおいて互いに平行に配置した第１及び第２の平板６、８を有している。第１及び第２の平板６、８は、同一形状の例えば長方形状に形成されている。第１及び第２の平板６、８の一方の端部は、例えば長方形状の端壁１０によって閉じられている。第１及び第２の主壁６、８の他方の端部は、開放され、第２の平板８の他方の端部に設けた蓋１２によって閉じられている。第１及び第２の主壁６、８の両長手縁間は、例えば長方形状の側壁１４、１６によって閉じられている。
【００１７】
この箱２内に、糸、例えば釣り糸１８が収容されている。この釣り糸１８は、図２（ａ）、（ｂ）に展開して示す糸巻き２０に巻かれている。糸巻き２０では、同一の長方形状の板状体、例えば主壁２２、２４が、それらの長手縁が一直線状になるように間隔をあけて配置され、その間隔内に主壁２２、２４を連結する直方体状の連結部２６が設けられている。主壁２２、２４の一方の面には、この一方の面から離れるように突出している第１及び第２の突出部、例えば支柱２８、３０が、設けられている。これら支柱２８、３０は、概略円柱状である。これら支柱２８、３０の先端にそれぞれ一方の面が接触するように舌片部３２、３４が配置されている。これらの一方の面に設けた中空の筒部３６、３８が支柱２８、３０に嵌められることによって、舌片部３２、３４は、主壁２２、２４に結合されている。舌片部３２、３４は、それらの先端部が、主壁２２、２４の連結部２６と反対側の端部側に向かって凸に湾曲しており、ほぼ同一の幅寸法で連結部２６側に向かって直線状に伸びている。この幅寸法は、主壁２２、２４の幅寸法よりも幾分短い。その直線状部の端から徐々に幅寸法が短くなって中央に向かい、連結部２６上で最も幅寸法が短くなっている。この最も幅寸法の短い部分で連結部２６に固定されている。
【００１８】
舌片３２、３４と平板２２、２４との間において、図２（ａ）に鎖線で示すように糸、例えば釣り糸１８が支柱２８、３０間に８の字に巻かれている。釣り糸１８の一端は連結部２６の近傍で固定されており、釣り糸１８は、他端から解かれる。なお、図２（ａ）では、図が錯綜するので、釣り糸１８は、それぞれのループが一重であるように描いてある。しかし、実際にはいずれのループも複数回にわたって巻かれている。図１（ａ）、（ｂ）では、複数回に巻かれた糸の一番内側のループと一番外側のループのみを示してある。
【００１９】
図２に示すように、主壁２２に主壁２４が重なるように、即ち釣り糸１８の８の字のループが重なるように主壁２４が折り曲げられる。この折り曲げた状態で糸巻き２０が箱２内に収容される。この収容状態では連結部２６が端壁１０に接触している。従って、釣り糸１８の２つのループの交差部分が端壁１０、連結部２６の近傍に位置する。なお、蓋部１２には、糸引き出し孔４２が形成されている。釣り糸１８の他端が、舌片部３２、３４の間を通って、この引き出し孔４２に挿通される。釣り糸１８の他端を引くことによって、釣り糸１８が解かれて、糸引き出し孔４２から引き出される。
【００２０】
ケース２の両側壁１４、１６における端壁１０の近傍から蓋１２の方向に向かって直線状に貫通孔４４、４６が形成されている。これら貫通孔４４、４６間に跨って拘束部材４が配置されている。この拘束部材４は、この実施形態では、円柱状の部材で、貫通孔４４、４６の長さ方向に沿って摺動可能である。図１（ｂ）に示すように、８の字に巻かれて、８の字の交差部分で折り曲げられた釣り糸１８の２つのループ間に両者を区画するように、拘束部材４は位置し、交差部分に接触している。
【００２１】
このように交差部分に接触しているので、この糸収容体を搬送する際に、振動を受けても、釣り糸１８は、ケース２内で移動しない。そのため、搬送後に販売するために、この糸収容体を陳列したとき、釣り糸１８の位置が移動していなく、商品としての見栄えは良好であるし、釣り糸１８を引き出すときにも、釣り糸１８が絡むことがない。なお、市販する際には、拘束部材４を貫通孔４４、４６から取り除くことによって、更に見栄えを良好にすることができるし、拘束部材４が釣り糸１８の引き出しの邪魔になることもない。また、拘束部材４は、貫通孔４４、４６の長さ方向に沿って摺動可能であるので、釣り糸１８の巻き量が増加して、交差部分の厚さも増加しても、対応することができる。なお、符号４８で示すのは、拘束部材４の一端に一体に設けた抜け止めである。拘束部材４の他端に、着脱自在に別の抜け止めを設けることもできる。
【００２２】
本考案の第２の実施形態の糸収容体は、糸巻き２０ａの構成が異なる以外、第１の実施形態の糸収容体と同様に構成されている。同等部分には同一符号を付して、その説明を省略する。
【００２３】
図５（ａ）、（ｂ）に示すように、糸巻き２０ａは、舌片３２、３４を除去して、その代わりに支柱２８、３０の先端に糸抜け止め用の板状体５０、５２が設けられている。板状体５０、５２は、図４（ａ）、（ｂ）に示すように、糸巻き２０ａをケース２内に収容した状態で、蓋１２側に一部が突出するように、支柱２９、３０の先端に取り付けられている。
【００２４】
この糸収容体においても、糸巻き２０ａを図５（ａ）、（ｂ）に示すように展開した状態で、支柱２８、３０間に釣り糸１８が８の字状に巻かれて、糸巻き２０ａは連結体２６の位置で２つに折り曲げられ、ケース２内に連結体２６が端部１０側に位置するように挿入され、貫通孔４４、４６間を跨ぐように拘束部材４がケース２内に挿入される。
【００２５】
本考案の第３の実施形態の糸収容体は、図７に示すように、拘束部材５４、５６を糸巻き２０ａに設けてある。その代わり、ケース２の貫通孔４４、４６を除去してある。他の構成は、第２の実施形態と同様である。拘束部材５４、５６は、糸巻き２０ａの主壁２２、２４における連結部２６の近傍に、主壁２２、２４に対して直角に同一方向に突出した円柱状のものである。これら拘束部材５４、５６は、図６（ｂ）に示すように、主壁２２、２４が平行となるように折り曲げてケース２に収容した状態で、拘束部材５４、５６の先端部が互いに接近して位置するように配置されている。また、釣り糸１８の交差部分の近傍において、８の字の２つのループ内にそれぞれ拘束部材５４、５６が位置している。従って、この糸収容体を搬送する際に、振動を受けても、第１及び第２の実施形態の糸収容体と同様に、釣り糸１８の各ループは、拘束部材５４、５６によって拘束され、その結果、ケース２内で移動しないし、釣り糸１８を引き出すときにも、釣り糸１８が絡むことがない。
【００２６】
上記の第１及び第２の実施形態では、拘束部材４として、円柱状のものを使用したが、これに限ったものではなく、例えば板状体を拘束部材として使用することもできる。その場合、板状体の一端部が釣り糸１８の交差部分に接触する。また、貫通孔４４、４６の幅や長さは、板状体に対応したものとし、釣り糸１８の巻き数に応じて板状体を蓋１２側に摺動可能な長さとする。この他に、紐や帯のようなものを拘束部材として使用することもできる。この場合、側壁１４、１６の外面に紐や帯の係止部を設けることが望ましい。また、上記の第１及び第２の実施形態では、釣り糸１８は、糸巻き２０または２０ａに８の字に巻いたものを使用したが、糸巻き２０、２０ａを使用せずに、８の字に巻いて、その２つのループが重なるように折り曲げたものを、そのままケース２内に収容することもできる。無論、この場合も、交差部分が端部１０側に位置し、２つのループの間に拘束部材が位置する。上記の第１及び第２の実施形態では、拘束部材４は、側壁１４、１６間に設けたが、これに限ったものではなく、例えば第１及び第２の主壁６、８間に設けることもできる。この場合、拘束部材４は、釣り糸１８の２つのループ内を貫通して、２つのループの交差部分に接触する。第３の実施形態では、主壁２２、２４に拘束部材５４、５６を設けたが、いずれか一方の平板のみに設けることもできる。この場合、８の字状に巻かれて交差部分で折り曲げられた２つのループの一方のみに拘束部材が侵入するように構成することもできるし、２つのループの両方に拘束部材が侵入するように構成することもできる。第３の実施形態では、拘束部材５４、５６は、円柱状のものを示したが、これに限ったものではなく、例えば角柱状のものを使用することもできる。その場合、ケース２の両側壁１４、１６側に向かう方向の寸法が、ケース２の端壁１０、蓋１２に向かう方向の寸法よりも長くすることもできる。
【符号の説明】
【００２７】
２  ケース
４  ５４  ５６  拘束部材
１８  釣り糸
【図１】
0003163886.tif 000003
【図２】
0003163886.tif 000004
【図３】
0003163886.tif 000005
【図４】
0003163886.tif 000006
【図５】
0003163886.tif 000007
【図６】
0003163886.tif 000008
【図７】
0003163886.tif 000009